【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
複数のユーザによって共用される電子音楽装置であって、
各ユーザの生体／所有物情報を認証する認証手段と、
各ユーザの生体／所有物情報に対応付けて、当該電子音楽装置の環境を設定するための環境設定情報を記憶する記憶手段と、
該記憶手段から、前記認証手段によって認証された生体／所有物情報に対応する環境設定情報を読み出す読み出し手段と、
該読み出し手段によって読み出された環境設定情報に基づいて、当該電子音楽装置の環境を設定する設定手段と、
当該電子音楽装置の電源がオンされたときに、前記認証手段を動作させるように制御する制御手段と
を有することを特徴とする電子音楽装置。
【請求項２】
複数のユーザによって共用される電子音楽装置であって、
各ユーザの生体／所有物情報を認証する認証手段と、
各ユーザの生体／所有物情報に対応付けて、当該電子音楽装置の環境を設定するための環境設定情報を記憶する記憶手段と、
該記憶手段から、前記認証手段によって認証された生体／所有物情報に対応する環境設定情報を読み出す読み出し手段と、
該読み出し手段によって読み出された環境設定情報に基づいて、当該電子音楽装置の環境を設定する設定手段と、
当該電子音楽装置を待機状態にさせた状態で、前記認証手段を待機状態にしておく待機状態保持手段と、
前記認証手段によって生体／所有物情報が検出されたときに、当該電子音楽装置への電源をオンするように制御する制御手段と
を有することを特徴とする電子音楽装置。
【請求項３】
複数のユーザによって共用される電子音楽装置であって、
各ユーザの生体／所有物情報を認証する認証手段と、
当該電子音楽装置の環境を設定する設定手段と、
当該電子音楽装置の使用を終了するとき、あるいは前記認証手段によって、現在認証中の生体／所有物情報とは異なる生体／所有物情報が検出されたときに、前記設定手段によって設定されている環境を再現させるための環境設定情報を、現在認証中の生体／所有物情報に対応付けて記憶する記憶手段と
を有することを特徴とする電子音楽装置。
【請求項４】
複数のユーザによって共用される電子音楽装置であって、
各ユーザの生体／所有物情報を取得する取得手段と、
当該電子音楽装置の環境を設定するための環境設定情報を、各ユーザの生体／所有物情報に対応付けて保持するサーバに、前記取得手段によって取得された生体／所有物情報を送信する送信手段と、
前記サーバから、前記送信手段によって送信された生体／所有物情報に対応する環境設定情報を受信する受信手段と、
該受信手段によって受信された環境設定情報に基づいて、当該電子音楽装置の環境を設定する設定手段と
を有することを特徴とする電子音楽装置。
【請求項５】
複数のユーザによって共用される電子音楽装置が送信した生体／所有物情報を受信する受信手段と、
該受信手段によって受信された生体／所有物情報を認証する認証手段と、
前記電子音楽装置の各ユーザの生体／所有物情報に対応付けて、当該電子音楽装置の環境を設定するための環境設定情報を記憶する記憶手段と、
該記憶手段から、前記認証手段によって認証された生体／所有物情報に対応する環境設定情報を読み出す読み出し手段と、
該読み出し手段によって読み出された環境設定情報を前記電子音楽装置に送信する送信手段と
を有することを特徴とするサーバ。
【請求項６】
複数のユーザによって共用される電子音楽装置であって、
各ユーザの生体／所有物情報を取得する取得手段と、
当該電子音楽装置の環境を設定する設定手段と、
当該電子音楽装置の使用を終了するとき、あるいは前記取得手段によって、他の生体／所有物情報が取得されたときに、前記設定手段によって設定されている環境を再現させるための環境設定情報を、前記取得された生体／所有物情報とともに、サーバに送信する送信手段と
を有することを特徴とする電子音楽装置。
【請求項７】
複数のユーザによって共用される電子音楽装置を制御する制御方法をコンピュータに実行させるためのプログラムであって、
前記制御方法は、
各ユーザの生体／所有物情報を認証する認証手順と、
各ユーザの生体／所有物情報に対応付けて、当該電子音楽装置の環境を設定するための環境設定情報を記憶する記憶手段から、前記認証手順によって認証された生体／所有物情報に対応する環境設定情報を読み出す読み出し手順と、
該読み出し手順によって読み出された環境設定情報に基づいて、当該電子音楽装置の環境を設定する設定手順と、
当該電子音楽装置の電源がオンされたときに、前記認証手順による認証処理を動作させるように制御する制御手順と
を含むことを特徴とするプログラム。
【請求項８】
複数のユーザによって共用される電子音楽装置を制御する制御方法をコンピュータに実行させるためのプログラムであって、
前記制御方法は、
各ユーザの生体／所有物情報を認証する認証手順と、
各ユーザの生体／所有物情報に対応付けて、当該電子音楽装置の環境を設定するための環境設定情報を記憶する記憶手段から、前記認証手順によって認証された生体／所有物情報に対応する環境設定情報を読み出す読み出し手順と、
該読み出し手順によって読み出された環境設定情報に基づいて、当該電子音楽装置の環境を設定する設定手順と、
当該電子音楽装置を待機状態にさせた状態で、前記認証手順による認証処理を待機状態にしておく待機状態保持手順と、
前記認証手順によって生体／所有物情報が検出されたときに、当該電子音楽装置への電源をオンするように制御する制御手順と
を含むことを特徴とするプログラム。
【請求項９】
複数のユーザによって共用される電子音楽装置を制御する制御手順であって、
各ユーザの生体／所有物情報を認証する認証手順と、
当該電子音楽装置の環境を設定する設定手順と、
当該電子音楽装置の使用を終了するとき、あるいは前記認証手順によって、現在認証中の生体／所有物情報とは異なる生体／所有物情報が検出されたときに、前記設定手順によって設定されている環境を再現させるための環境設定情報を、現在認証中の生体／所有物情報に対応付けて記憶手段に記憶させる記憶手順と
を含む制御手順をコンピュータに実行させるためのプログラム。
【請求項１０】
複数のユーザによって共用される電子音楽装置を制御する制御手順であって、
各ユーザの生体／所有物情報を取得する取得手順と、
当該電子音楽装置の環境を設定するための環境設定情報を、各ユーザの生体／所有物情報に対応付けて保持するサーバに、前記取得手順によって取得された生体／所有物情報を送信する送信手順と、
前記サーバから、前記送信手順によって送信された生体／所有物情報に対応する環境設定情報を受信する受信手順と、
該受信手順によって受信された環境設定情報に基づいて、当該電子音楽装置の環境を設定する設定手順と
を含む制御手順をコンピュータに実行させるためのプログラム。
【請求項１１】
複数のユーザによって共用される電子音楽装置が送信した生体／所有物情報を受信する受信手順と、
該受信手順によって受信された生体／所有物情報を認証する認証手順と、
前記電子音楽装置の各ユーザの生体／所有物情報に対応付けて、当該電子音楽装置の環境を設定するための環境設定情報を記憶手段に記憶させる記憶手順と、
前記記憶手段から、前記認証手順によって認証された生体／所有物情報に対応する環境設定情報を読み出す読み出し手順と、
該読み出し手順によって読み出された環境設定情報を前記電子音楽装置に送信する送信手順と
をコンピュータに実行させるためのプログラム。
【請求項１２】
複数のユーザによって共用される電子音楽装置を制御する制御手順であって、
各ユーザの生体／所有物情報を取得する取得手順と、
当該電子音楽装置の環境を設定する設定手順と、
当該電子音楽装置の使用を終了するとき、あるいは前記取得手順によって、他の生体／所有物情報が取得されたときに、前記設定手順によって設定されている環境を再現させるための環境設定情報を、前記取得された生体／所有物情報とともに、サーバに送信する送信手順と
を含む制御手順をコンピュータに実行させるためのプログラム。
【手続補正２】
【補正対象書類名】明細書
【補正対象項目名】０００６
【補正方法】変更
【補正の内容】
【０００６】
上記目的を達成するため、請求項１に記載の電子音楽装置は、複数のユーザによって共用される電子音楽装置であって、各ユーザの生体／所有物情報を認証する認証手段と、各ユーザの生体／所有物情報に対応付けて、当該電子音楽装置の環境を設定するための環境設定情報を記憶する記憶手段と、該記憶手段から、前記認証手段によって認証された生体／所有物情報に対応する環境設定情報を読み出す読み出し手段と、該読み出し手段によって読み出された環境設定情報に基づいて、当該電子音楽装置の環境を設定する設定手段と、当該電子音楽装置の電源がオンされたときに、前記認証手段を動作させるように制御する制御手段とを有することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
上記目的を達成するため、請求項２に記載の電子音楽装置は、複数のユーザによって共用される電子音楽装置であって、各ユーザの生体／所有物情報を認証する認証手段と、各ユーザの生体／所有物情報に対応付けて、当該電子音楽装置の環境を設定するための環境設定情報を記憶する記憶手段と、該記憶手段から、前記認証手段によって認証された生体／所有物情報に対応する環境設定情報を読み出す読み出し手段と、該読み出し手段によって読み出された環境設定情報に基づいて、当該電子音楽装置の環境を設定する設定手段と、当該電子音楽装置を待機状態にさせた状態で、前記認証手段を待機状態にしておく待機状態保持手段と、前記認証手段によって生体／所有物情報が検出されたときに、当該電子音楽装置への電源をオンするように制御する制御手段とを有することを特徴とする。
【手続補正５】
【補正対象書類名】明細書
【補正対象項目名】０００９
【補正方法】変更
【補正の内容】
【０００９】
上記目的を達成するため、請求項３に記載の電子音楽装置は、複数のユーザによって共用される電子音楽装置であって、各ユーザの生体／所有物情報を認証する認証手段と、当該電子音楽装置の環境を設定する設定手段と、当該電子音楽装置の使用を終了するとき、あるいは前記認証手段によって、現在認証中の生体／所有物情報とは異なる生体／所有物
情報が検出されたときに、前記設定手段によって設定されている環境を再現させるための環境設定情報を、現在認証中の生体／所有物情報に対応付けて記憶する記憶手段とを有することを特徴とする。
【手続補正６】
【補正対象書類名】明細書
【補正対象項目名】００１０
【補正方法】変更
【補正の内容】
【００１０】
上記目的を達成するため、請求項４に記載の電子音楽装置は、複数のユーザによって共用される電子音楽装置であって、各ユーザの生体／所有物情報を取得する取得手段と、当該電子音楽装置の環境を設定するための環境設定情報を、各ユーザの生体／所有物情報に対応付けて保持するサーバに、前記取得手段によって取得された生体／所有物情報を送信する送信手段と、前記サーバから、前記送信手段によって送信された生体／所有物情報に対応する環境設定情報を受信する受信手段と、該受信手段によって受信された環境設定情報に基づいて、当該電子音楽装置の環境を設定する設定手段とを有することを特徴とする。
【手続補正７】
【補正対象書類名】明細書
【補正対象項目名】００１１
【補正方法】変更
【補正の内容】
【００１１】
上記目的を達成するため、請求項５に記載のサーバは、複数のユーザによって共用される電子音楽装置が送信した生体／所有物情報を受信する受信手段と、該受信手段によって受信された生体／所有物情報を認証する認証手段と、前記電子音楽装置の各ユーザの生体／所有物情報に対応付けて、当該電子音楽装置の環境を設定するための環境設定情報を記憶する記憶手段と、該記憶手段から、前記認証手段によって認証された生体／所有物情報に対応する環境設定情報を読み出す読み出し手段と、該読み出し手段によって読み出された環境設定情報を前記電子音楽装置に送信する送信手段とを有することを特徴とする。
【手続補正８】
【補正対象書類名】明細書
【補正対象項目名】００１２
【補正方法】変更
【補正の内容】
【００１２】
上記目的を達成するため、請求項６に記載の電子音楽装置は、複数のユーザによって共用される電子音楽装置であって、各ユーザの生体／所有物情報を取得する取得手段と、当該電子音楽装置の環境を設定する設定手段と、当該電子音楽装置の使用を終了するとき、あるいは前記取得手段によって、他の生体／所有物情報が取得されたときに、前記設定手段によって設定されている環境を再現させるための環境設定情報を、前記取得された生体／所有物情報とともに、サーバに送信する送信手段とを有することを特徴とする。
【手続補正９】
【補正対象書類名】明細書
【補正対象項目名】００１３
【補正方法】変更
【補正の内容】
【００１３】
上記目的を達成するため、請求項７〜１２に記載の各プログラムはそれぞれ、請求項１〜６と同様の技術的思想によって実現できる。
【手続補正１０】
【補正対象書類名】明細書
【補正対象項目名】００１４
【補正方法】変更
【補正の内容】
【００１４】
請求項１または７に記載の発明によれば、ユーザの生体／所有物情報が認証され、各ユーザの生体／所有物情報に対応付けて、当該電子音楽装置の環境を設定するための環境設定情報を記憶する記憶手段から、前記認証された生体／所有物情報に対応する環境設定情報が読み出され、該読み出された環境設定情報に基づいて、当該電子音楽装置の環境が設定されるので、ユーザによるＩＤ番号の入力を必要とせずに、ユーザ毎の環境設定を行うことができる。
【手続補正１１】
【補正対象書類名】明細書
【補正対象項目名】００１５
【補正方法】変更
【補正の内容】
【００１５】
また、当該電子音楽装置の電源がオンされたときに、認証手段または認証処理が自動的に動作するので、ユーザに「自分の環境設定情報を読み出して設定する」と言うことをあまり意識させずに、ユーザ毎の環境設定を行うことができる。
【手続補正１２】
【補正対象書類名】明細書
【補正対象項目名】００１６
【補正方法】変更
【補正の内容】
【００１６】
請求項２または８に記載の発明によれば、当該電子音楽装置を待機状態にさせた状態で、認証手段または認証処理を待機状態にしておき、前記認証手段または認証処理によって生体／所有物情報が検出されたときに、当該電子音楽装置への電源がオンされるので、生体／所有物情報の認証と電子音楽装置の電源オンを兼ねることができ、ユーザに、より一層「自分の環境設定情報を読み出して設定する」と言うことを意識させずに、ユーザ毎の環境設定を行うことができる。
【手続補正１３】
【補正対象書類名】明細書
【補正対象項目名】００１７
【補正方法】変更
【補正の内容】
【００１７】
請求項３または９に記載の発明によれば、当該電子音楽装置の使用を終了するとき、あ
るいは現在認証中の生体／所有物情報とは異なる生体／所有物情報が検出されたときに、設定されている環境を再現させるための環境設定情報が、現在認証中の生体／所有物情報に対応付けて記憶手段に記憶されるので、ユーザの最後の設定状態を復元することができ、これにより、電子音楽装置を次回使用する際に、自然な状態で使用することができる。
【手続補正１４】
【補正対象書類名】明細書
【補正対象項目名】００１８
【補正方法】変更
【補正の内容】
【００１８】
請求項４または１０に記載の発明によれば、ユーザの生体／所有物情報が検出され、当該電子音楽装置の環境を設定するための環境設定情報を、各ユーザの生体／所有物情報に対応付けて保持するサーバに、前記検出された生体／所有物情報が送信され、前記サーバから、前記送信された生体／所有物情報に対応する環境設定情報が受信され、該受信された環境設定情報に基づいて、当該電子音楽装置の環境が設定されるので、前記請求項１または８に記載の発明と同様の効果が得られる。さらに、当該電子音楽装置のサイズおよび機能を削減することができるので、製造コストを削減することができるとともに、携帯性に富むことにより、場所に囚われず環境設定を行うことができる。
【手続補正１５】
【補正対象書類名】明細書
【補正対象項目名】００１９
【補正方法】変更
【補正の内容】
【００１９】
請求項５または１１に記載の発明によれば、複数のユーザによって共用される電子音楽装置が送信した生体／所有物情報が受信され、該受信された生体／所有物情報が認証され、前記電子音楽装置の各ユーザの生体／所有物情報に対応付けて、当該電子音楽装置の環境を設定するための環境設定情報を記憶する記憶手段から、前記認証された生体／所有物情報に対応する環境設定情報が読み出され、該読み出された環境設定情報が前記電子音楽装置に送信されるので、請求項５または１０に記載の発明と同様の効果が得られる。
【手続補正１６】
【補正対象書類名】明細書
【補正対象項目名】００２０
【補正方法】変更
【補正の内容】
【００２０】
請求項６または１２に記載の発明によれば、ユーザの生体／所有物情報が取得され、当該電子音楽装置の環境が設定され、当該電子音楽装置の使用を終了するとき、あるいは他の生体／所有物情報が取得されたときに、前記設定されている環境を再現させるための環境設定情報が、前記取得された生体／所有物情報とともに、サーバに送信されるので、請求項４または９に記載の発明と同様の効果が得られる。さらに、当該電子音楽装置のサイズおよび機能を削減することができるので、製造コストを削減することができるとともに、携帯性に富むことにより、場所に囚われず環境設定を行うことができる。